(57)【要約】【課題】  筆記体を突出し筆記可能な状態のみにおいて、前記クリップの円周動によって前記クリップの係合部と軸筒周面に設けられた係合部を備えた膨出部の係合部を相互に係合させる構成を採っている。その結果、筆記体を収納し筆記しない状態では、係合部を備えた膨出部がクリップの脇に位置し、膨出部が指に干渉しやすく筆記具自体を持ち難くしてしまうばかりか、筆記具の胸ポケット等への収納性を損なってしまう。【解決手段】  クリップを有し、軸筒内に筆記体を出没可能に配置させた出没式筆記具であって、前記クリップの軸筒側に位置する面に係合部を形成すると共に、前記軸筒には係合部と係合する係合受部を設け、また、それら係合部と係合受部とを軸線方向における相対的な移動によって係脱が可能とした出没式筆記具。  【選択図】  図１
2013154628.tif 000002
【特許請求の範囲】
【請求項１】
クリップを有し、軸筒内に筆記体を出没可能に配置させた出没式筆記具であって、前記クリップの軸筒側に位置する面に係合部を形成すると共に、前記軸筒には係合部と係合する係合受部を設け、また、それら係合部と係合受部とを軸線方向における相対的な移動によって係脱が可能とした出没式筆記具。
【請求項２】
前記クリップの係合部を係合受部に嵌まり込ませた請求項１記載の出没式筆記具。
【発明の詳細な説明】
【技術分野】
【０００１】
本発明は、クリップを有し、軸筒内に筆記体を出没可能に配置させた出没式筆記具に関するものである。
【背景技術】
【０００２】
従来から、軸筒内に配置した筆記体を出没させる出没式筆記具が知られている。また、その出没式筆記具であって、筆記先端部が突出したままの状態で、ポケットなどに差し込んでも、服を汚損しない安全機構を搭載した出没式筆記具も知られている。その１例が特開平１０−２１７６７７号公報である。具体的に説明すると、クリップの先方部に係合部が設けられ、該係止部と対接する軸筒周面の所定位置に係合部を備えた膨出部が設けられて、操作体を回転して筆記体を突出し筆記可能な状態のみにおいて、前記クリップの円周動によって前記クリップの係合部と膨出部の係合部が相互に係合するようになっている。その係合作用によって、クリップの先方部が軸筒面から離反せず、胸ポケット等に差し込まれないようになっている。
【０００３】
【特許文献１】特開平１０−２１７６７７
【発明の概要】
【発明が解決しようとする課題】
【０００４】
前記の従来技術では、筆記体を突出し筆記可能な状態のみにおいて、前記クリップの円周動によって前記クリップの係合部と軸筒周面に設けられた係合部を備えた膨出部の係合部を相互に係合させる構成を採っている。その結果、筆記体を収納し筆記しない状態では、係合部を備えた膨出部がクリップの脇に位置し、膨出部が指に干渉しやすく筆記具自体を持ち難くしてしまうばかりか、筆記具の胸ポケット等への収納性を損なってしまう。
【課題を解決するための手段】
【０００５】
本発明は、クリップを有し、軸筒内に筆記体を出没可能に配置させた出没式筆記具であって、前記クリップの軸筒側に位置する面に係合部を形成すると共に、前記軸筒には係合部と係合する係合受部を設け、また、それら係合部と係合受部とを軸線方向における相対的な移動によって係脱が可能としたことを要旨とする。
【発明の効果】
【０００６】
本発明は、クリップを有し、軸筒内に筆記体を出没可能に配置させた出没式筆記具であって、前記クリップの軸筒側に位置する面に係合部を形成すると共に、前記軸筒には係合部と係合する係合受部を設け、また、それら係合部と係合受部とを軸線方向における相対的な移動によって係脱が可能としたので、筆記体を収納する操作でクリップの係合部と軸筒の周面に設けられた係合部を備えた膨出部の係合部の係合が解除される。この係合の解除によって、胸ポケット等に収納可能な状態になっても、クリップの先端部の玉部に設けた係合部と係合する膨出部がペン先の突出方向に位置する。その結果、膨出部が指に干渉しないため、筆記具自体が持ちやすくなる。また、筆記具の胸ポケット等への収納性も良好なものとなる。
【図面の簡単な説明】
【０００７】
【図１】本発明の実施例を示す縦断面図。
【図２】（ａ）クリップ２の縦断面図    （ｂ）クリップ２の上方から見た斜視図
【図３】（ａ）後軸３の縦断面図    （ｂ）後軸３の上方から見た斜視図
【図４】摺動子４の上方から見た斜視図
【図５】前軸５の上方から見た斜視図
【図６】第２例を示す縦断面図。
【図７】（ａ）後軸３０の縦断面図    （ｂ）後軸３０の上方から見た斜視図
【図８】摺動子３４の上方から見た斜視図
【図９】係合子２７の上方から見た斜視図
【図１０】第３例を示す縦断面図。
【図１１】クリップ４２の下方から見た斜視図
【図１２】（ａ）ノック４８の外観図      （ｂ）ノック４８の上方から見た斜視図
【図１３】頭冠４９の上方から見た斜視図
【図１４】（ａ）後軸５０の縦断面図      （ｂ）後軸５０の要部拡大縦断面図            （ｃ）後軸５０の上方から見た斜視図
【図１５】（ａ）回転子５１の外観図            （ｂ）回転子５１の下方から見た斜視図
【図１６】（ａ）第４例の玉部と膨出部の係合を示す側面から見た要部拡大縦断面図            （ｂ）クリップの外観図
【図１７】（ａ）第５例の玉部と膨出部の係合を示す側面から見た要部拡大縦断面図            （ｂ）クリップの外観図
【図１８】（ａ）第６例の玉部と膨出部の係合を示す側面から見た要部拡大縦断面図            （ｂ）クリップの外観図
【図１９】（ａ）第７例の玉部と膨出部の係合を示す側面から見た要部拡大縦断面図            （ｂ）クリップの外観図
【図２０】（ａ）第８例の玉部と膨出部の係合を示す側面から見た要部拡大縦断面図            （ｂ）クリップの外観図
【発明を実施するための形態】
【０００８】
作用について説明する。後軸３と前軸５とを相対的に回転させることによって、筆記体７が出没する。
筆記体７のペン先１１を先金６の先端開口部８からから突出させる操作で、クリップ２の先端部１００の玉部２１に設けた係合部２２が、後軸３の周面に設けられた係合溝２４を備えた膨出部２３に向かって、かつ、軸線方向に向かって移動し、係合する。この時、クリップ２に持ち上げる力がかかっても、クリップ２が持ち上がらないため、胸ポケットに差すことができない。よって、胸ポケット等をインキで汚す心配がない。
また、クリップ２先端部の玉部２１に設けた係合部２２と、後軸３の周面に設けられた係合溝２４を備えた膨出部２３がペン先出方向に、即ち、軸線方向に向かって相対移動し係合する構成のため、回転繰り出し式筆記具に限らず、ノック式ボールペン等の出没式筆記具に適用することもできる。
尚、前記の従来技術では筆記体７を収納し筆記しない状態では、係合部２２を備えた膨出部２３は前記係合以外の機能は果たさないが、本発明では筆記体７を収納し、筆記しない状態であってもクリップ２の先端部１００の玉部２１がクリップ２の弾性により、胸ポケット等を膨出部２３に押圧し、膨出部２３の後軸３筒径方向の高さ分、クリップ２の保持力を高める働きをする。
【０００９】
第１例について図１〜図５を基に説明する。１本のボ−ルペンが摺動自在に配置されている回転繰り出し式の出没式筆記具であり、クリップ２の先端部の玉部２１に設けた係合部２２が、後軸３の周面に設けられた係合溝２４を備えた膨出部２３に向かって移動し、係合する例である。
軸本体１は、クリップ２と後軸３、摺動子４、前軸５、先金６より構成される。前記前軸５の前方部と先金６は、螺合によって着脱自在に結合されているが、前軸５の後方部と後軸３の前方部は回転可能ではあるものの、前後動不可能に結合される。前記軸本体１の内部には、筆記体７が前後動可能に配置され、その筆記体７は先金６の先端開口部８から突出が可能なものとなっている。尚、その筆記体７は、コイルスプリングなどの弾撥部材９によって後方に付勢されている。
また、前記後軸３の後部内面には、カム溝１０が形成され、そのカム溝１０には前記筆記体７の後端部と当接する摺動子４が係合している。その摺動子４の後端部には、クリップ２が回転可能ではあるものの、前後動不可能に結合される。尚、本例においては、前軸５と先金６は螺合により結合されるが、一体的に形成されていても良い。
前記後軸３の内部であって、ペン先１１の突出方向側には、円周リブ１２が２本形成されている。一方、前軸５の外周には２本の円周リブ１３が形成されており、それら円周リブ１２と円周リブ１３が係合することで、後軸３と前軸５は回転自在であるが、前後移動不能に結合されている。
【００１０】
また、前記摺動子４は、後軸３と前軸５の内部に跨った状態で位置している。その摺動子４の上部の外周には、２個の摺動突起１４が対向した位置に形成されている。一方、前記後軸３にはカム溝１０が形成されており、前記摺動突起１４と係合している。また、摺動子４には２本の摺動溝１５が対向した位置に設けられており、その摺動溝１５は前記前軸５に形成された２本の摺動突起９９と係合している。
前記摺動子４の内部であって、ペン先１１の突出方向側には、当接面１０１を形成する。当接面１０１にはコイルスプリングなどの弾撥部材９によって後方に付勢されたボールペンなどの筆記体７の後端が当接面１０１に当接する。前記後軸３と前軸５の相対的な回転によって、摺動子４は後軸３の内部を回転しつつペン先１１の突出方向に前進する。この際、その摺動子４は、摺動突起１４が後軸３のカム溝１０を摺動・前進することで、後軸３の内部を前進する。
【００１１】
前記後軸３の後部には、開口部１６が形成されており、その開口部１６からクリップ２を挿入することができる。そのクリップ２の両側面には、対向した位置に２個の摺動溝１７が長手方向に形成されている。また、そのクリップ２を後軸３のペン先１１の突出方向に挿入すると、前記摺動溝１７と後軸３の内部に形成された２本の摺動突起１８とが係合し、前後移動自在であるが、回転不能に結合される。
前記クリップ２の内部には２本の円周リブ１９が形成されている。その円周リブ１９が摺動子４の後部の外周に形成された２本の円周リブ２０と係合する。その結合によって、クリップ２と摺動子４は回転自在であるが、前後移動不能に結合される。つまり、クリップ２は後軸３と摺動子４との結合によって、後軸３に対して相対的な回転が防止され、その結果、摺動子４の前後移動に合わせて移動することが可能になる。
【００１２】
さらに、前記クリップ２の玉部２１には、正面から見たとき凸形状をした係合部２２がペン先１１の突出方向に向かって形成されている。
前記後軸３の下部の外周であって、クリップ２の玉部２１からペン先１１の突出方向への進行上には、膨出部２３が形成されている。その膨出部２３は左右対称に２個形成されており、それら２個の膨出部２３から構成される隙間には、クリップ２の玉部２１に形成された係合部２２が係合する係合溝２４が形成されている。前記係合部２２の角部にはテーパ面１０２が形成される。ペン先１１の突突出操作時、クリップ２が進行方向から横方向にずれても、テーパ面１０２が係合溝２４の端面に当たることで、横方向のずれが修正され、正常に係合することが可能になる。
【００１３】
次に動作について説明する。図１に示す状態より、後軸３と前軸５とを相対的に回転させることによって、後軸３のカム溝１０が摺動子４の摺動突起１４を押圧する。摺動子４の摺動突起１４を押圧することによって、摺動子４と筆記体７が弾撥部材９の弾撥力に抗して前進し、筆記体７のペン先１１が先金６の先端開口部８から突出する。
このとき、摺動子４は、回転されつつペン先１１の突出方向に移動する。そして、その摺動子４の摺動突起１４がカム溝１０の係止溝２５に没入・係合されることで、摺動子４と後軸３の回転が規制され、前記筆記体７は弾撥部材９によって後方に付勢されているのにも関わらず、前記の突出状態が維持される。
この摺動子４が前進移動するとき、摺動子４に回転自在であるが、前後移動不能に結合されたクリップ２も前進移動する。そのクリップ２の前進移動に伴い、クリップ２の玉部２１も後軸３の周面に形成された膨出部２３に向かって、かつ、軸線方向に向かって前進する。即ち、ペン先１１が突出して筆記可能な状態になるとき、クリップ２の玉部２１の係合部２２が、膨出部２３の係合溝２４に挿入され、クリップ２の玉部２１と膨出部２３も係合される。これによって、筆記可能な状態においては、玉部２１と膨出部２３とが係合されるため、クリップ２を持ち上げる力がかかってもクリップ２が持ち上がることはない。その結果、胸ポケットに差すことができず、胸ポケット等をインキで汚す心配がない。
【００１４】
ここで、前記筆記体７を先金６内に没入させる場合は、後軸３と前軸５とを筆記体突出操作時と同じ方向か、筆記体突出操作時とは逆に回す。後軸３と前軸５の相対的な回転によって、摺動子４の摺動突起１４とカム溝１０の係止溝２５との係合が解除される。そして、摺動突起１４と係止溝２５との係合が解除されることで、摺動子４の回転規制が解除される。この回転規制の解除によって、前記摺動子４は弾撥部材９の弾撥力によって後軸３内をペン先１１の突出方向とは反対の方向に移動させられる。これによって、ペン先１１は、先金６内に没入する。この際、前記摺動突起１４が、前記後軸３のカム溝１０の端部２６に達することで、摺動子４のペン先１１の突出方向とは反対の方向への移動は停止し、筆記体７は収納状態になる。この摺動子４のペン先１１の突出方向とは反対の方向への移動に伴い、クリップ２もペン先１１の突出方向とは反対の方向に移動する。そのクリップ２の移動によって、そのクリップ２の玉部２１も後軸３の周面に形成された膨出部２３から離れる方向に移動する。その結果、クリップ２の玉部２１の係合部２２と膨出部２３の係合溝２４との挿入が解除され、玉部２２と膨出部２３との係合も解除される。つまり、クリップ２を持ち上げることが可能になり、胸ポケット等に差すことも可能になる。
【００１５】
次に、第２例について図６〜図９を基に説明する。１本のボ−ルペンが摺動自在に配置されている回転繰り出し式の出没式筆記具であり、係合子２７に設けられた係合溝２８を備えた膨出部２９が、後軸３０に形成されたクリップ部３１の先端部１０３の玉部３２に設けた係合部３３に向かって移動し、係合する例である。
軸本体４０は、係合子２７、後軸３０、摺動子３４、前軸５、先金６より構成される。後軸３０はクリップ部３１と軸部４１とが一体的に形成される。前軸５の前方部と先金６は螺合によって着脱自在に結合されているが、前軸５の後方部と後軸３の前方部は回転可能ではあるものの、前後動不可能に結合される。前記軸本体４０の内部には、筆記体７が前後動可能に配置され、その筆記体７は先金６の先端開口部８から突出が可能なものとなっており、前記筆記体７はコイルスプリングなどの弾撥部材９によって後方に付勢されている。
また、前記後軸３０の後部内面には、カム溝１０が形成され、そのカム溝１０には前記筆記体７の後端部と当接する摺動子４が係合している。その摺動子３４と連動し移動するよう、摺動子３４には係合子２７が回転可能ではあるものの、前後動不能に係止される。筆記体７を没入させる動作は、前記第１例と同様、前軸５と後軸３０の相対的回転によって行う。
前記摺動子３４の外周には、円周リブ３５が２本形成されている。その円周リブ３５は係合子２７が挿入されたとき、係合子２７の前後端面を挟み込むと共に、摺動子３４と係合子２７は回転自在であるが、前後移動不能に結合される。
前記後軸３０のクリップ部３１と対峙する側には、開口部３６が形成されており、係合子２７の膨出部２９が、その開口部３６にはまり込む。また、前記係合子２７が摺動子３４の前後移動に合わせて前後移動することで、前記膨出部２９も開口部３６を前後に移動する。
前記クリップ部３１の玉部３２には、正面から見たとき凸形状をした係合部３３がペン先１１の突出方向に長く形成されている。また、前記係合子２７の全部の外周には膨出部２９が形成される。その膨出部２９は左右対称に２個形成されており、それら２個の膨出部２３から構成される隙間にクリップ部３１の玉部３２に形成された係合部３３が係合する係合溝２８が形成されている。前記係合部３３の角部にはテーパ面１０４が形成される。ペン先１１の突突出操作時、クリップ部３１が進行方向から横方向にずれても、テーパ面１０４が係合溝２８端面に当たることで、横方向のずれが修正され、正常に係合することが可能になる。
次に動作について説明する。第１実施例と同様、後軸と前軸とを相対的に回転させることで筆記体を出没させる。具体的に説明すると、前記後軸３と前軸５とを相対的に回転させることによって、摺動子３４が前進移動する。このとき、摺動子３４に回転自在であるが、前後移動不能に結合された係合子２７も前進移動する。この係合子２７の前進移動に伴い、前記膨出部２９の係合溝２８が、クリップ部３１の玉部３２に形成された係合部３３に向かって前進する。
ところで、前記摺動子３４の前進移動によって、摺動突起３７がカム溝３８の係止溝３９に没入・係合し、前記ペン先１１が突出して筆記可能な状態になる。このとき、膨出部２９の係合溝２８が軸線方向に向かって移動すると共に、クリップ部３１の玉部３２に形成された係合部３３に挿入され、クリップ玉部３１と膨出部２９は係合される。この玉部３１と膨出部３３との係合により、筆記可能な状態のとき、クリップ部３１を持ち上げる力がかかっても、クリップ部３１が持ち上がることはない。その結果、胸ポケットに差すことができず、胸ポケット等をインキで汚す心配がない。
ここで、前記筆記体７を先金６内に没入させる場合は、前記後軸３０と前軸５とを筆記体突出操作時と同じ方向か、筆記体突出操作時とは逆に回す。このとき、摺動子３４はペン先出方向とは反対の方向に移動するため、摺動子３４に回転自在であるが、前後移動不能に結合された係合子２７の移動に伴って、玉部３２の係合部３３と膨出部２９の係合溝２８との挿入が解除され、玉部３２と膨出部２９との係合も解除される。つまり、クリップを持ち上げることが可能になり、胸ポケット等に差すことが可能になる。尚、この際、胸ポケット等を挟む玉部３２が膨出部２９の後方に位置するため、前記の第１例よりもスムーズに胸ポケット等に差すことができる。
【００１６】
次に、第３例について図１０〜図１５を基に説明する。１本のボ−ルペンが摺動自在に配置されているノック式の出没式筆記具であり、クリップ４２の先端部１０５の玉部４３に設けた係合部４４が後軸５０の周面に設けられた係合溝４５を備えた膨出部４６に向かって移動し、係合させる例である。
軸本体４７は、クリップ４２、ノック４８、頭冠４９、後軸５０、回転子５１、前軸５２、グリップ５３より構成されている。前記前軸５２の後方部と後軸５０の前方部は、螺合によって着脱自在に結合される。また、軸本体４７の内部には、筆記体７が前後動可能に配置されており、その筆記体７は前軸５２の先端開口部６８から突出が可能なものとなっている。尚、その筆記体７は、コイルスプリングなどの弾撥部材９によって後方に付勢されている。
前記後軸５０の後部内面には、カム溝５４が形成されており、そのカム溝５４には前記筆記体７の後端部と当接する回転子５１が係合している。また、その回転子５１の後部にはノック４８が回転不能ではあるものの、前後動可能に係合される。
前記前軸５２と後軸５０とは螺着などの手段によって着脱自在に固定されている。その前軸３６の表面には、ゴム状弾性体などからなるグリップ４２が装着されており、筆記の際における滑り防止効果と共に疲労の軽減などを向上させている。
前記後軸５０の後部内面に形成されたカム溝５４は、長手方向に形成された複数の縦リブ５５と溝部５６から構成されているが、縦リブ５５の下端面には傾斜面５７  が同一方向に形成されている。
一方、前記ノック４８の外周側面には複数の摺動突起５８が形成され、その摺動突起５８の下方には下方に向けて尖った山形傾斜面５９が形成されている。また、前記摺動突起５８は、前記カム溝５４の溝部５６対して前後動可能に係合していると共に、ノック４８は後軸５０に対して回転不能ではあるものの、前後動可能に係合している。
前記ノック４８の前方には、回転子５１が配置され、その回転子５１の外周面には摺動突起６０が形成されている。この摺動突起６０も前記カム溝５４の溝部５６に対して前後動可能に係合している。また、摺動突起６０の上端部には、前記ノック４８の山形傾斜面５９と当接する傾斜面６１が形成されており、ノック４８に形成されている山形傾斜面５９と当接している。即ち、ノック４８が押圧され、前方に移動すると回転子５１も追従して前方に移動する。本例においては、上記の構成を採ることによって、いわゆる、デビットカム機構と称されるカム機構を構成している。
前記回転子５１の上部の外周には、円周リブ６２が形成されている。前記回転子５１とノック４８は、円周リブ６２とノック４８の内部に形成された円周リブ６３とが係合することで、回転自在であるが、前後移動不能に結合される。また、前記回転子３５の下部には、コイルスプリングなどの弾撥部材９によって後方に付勢された前記筆記体７の後端部を囲繞するようにして保持する延設部６４が形成されている。
さらに、前記後軸５０の後部には、頭冠４９が凹凸嵌合などの手段によって装着・固定されており、その頂部近傍を後軸５０の後端部から露出させている。そして、頭冠４９の前方部には、後軸５０に嵌まり込む筒状部６５が形成されている。その筒状部６５には係合突起６６が形成されており、前記後軸５０の係合孔６７と係合し、後軸５０に対する抜け、回転を防止している。
前記ノック４８の後端部には、クリップ４２が挿入されており、そのクリップ４２の玉部４３には、正面から見たとき凸形状をした係合部４４がペン先１１の突出方向に長く形成されている。また、前記後軸５０の周面であって、クリップ４２の玉部４３からペン先１１の突出方向への進行上には、膨出部４６が形成されている。その膨出部４６は左右対称に２個形成されており、それら２個の膨出部２３から構成される隙間には、クリップ４２の玉部に形成された係合部４３が係合する係合溝４５が形成されている。
次に動作について説明する。ノック４８を押圧すると、回転子５１を介して筆記体７が弾撥部材９  の弾撥力に抗して前進し、前記回転子５１の傾斜面６１  が後軸５０の傾斜面５７に当接し、筆記体７の没入が阻止され、ペン先１１が突出して筆記可能な状態になる。
このとき、クリップ玉部４２は軸線方向に向かって移動すると共に、玉部４２の係合部４３が膨出部４６の係合溝４５に挿入され、クリップ玉部４２と膨出部４６は係合される。この玉部４２と膨出部４６との係合により、筆記体７のペン先１１が前軸５２の先端開口部６８から突出し、筆記可能な状態となるが、クリップ３１を持ち上げる力がかかってもクリップ３１が持ち上がることはなく、胸ポケット等に挿入することができない。よって、胸ポケットに差すことができず、胸ポケット等をインキで汚す心配がない。
ここで、前記筆記体７を前軸５２に没入させる場合は、再びノック部材４８を押圧する。この押圧操作によって、回転子５１の傾斜面６１と後軸５０の傾斜面５７との係合が解除されると共に、前記弾撥部材９の付勢力によって筆記体７が収納される。
このとき、ノック４８の移動に伴って、クリップ玉部４３も後軸５０の周面に形成された膨出部４６から離れる方向に移動する。この移動によって、前記クリップ玉部４３の係合部４４と膨出部４６の係合溝４５との挿入が解除され、玉部４３と膨出部４６との係合も解除される。つまり、クリップ４２を持ち上げることが可能になり、胸ポケット等に差すことが可能になる。
【００１７】
次に、第４例について図１６を基に説明する。第１例と同様、１本のボ−ルペンが摺動自在に配置されている回転繰り出し式の出没式筆記具であり、クリップ６９の先端部１０６の玉部７０に設けた係合溝７１が、後軸７３周面に設けられた係合部７３を備えた膨出部７４に向かって移動し、係合させる例である。
前記後軸７２の周面であって、クリップ６９の玉部７０からペン先１１の突出方向への進行上には、膨出部７４が形成されている。その膨出部７４を正面から見たとき、Ｔ形状をした係合部７３がペン先１１の突出方向に向かって形成されている。
一方、前記クリップ６９には、玉部７０が左右対称に２個形成されており、それら２個の膨出部２３から構成される隙間には、膨出部７４の係合部７３と係合できる係合溝７１が形成されている。
その他の構成、動作は第１例と同様であり、前記後軸７２と前軸５とを相対的に回転させることで筆記体を出没させる。前記筆記体７のペン先１１が先金６の先端から突出し、筆記可能な状態のとき、クリップ２を持ち上げる力がかかってもクリップ２が持ち上がることはなく、胸ポケットに差すことができず、胸ポケット等をインキで汚す心配がない。
また、筆記体７を先金６内に没入し、胸ポケット等に差すことが可能な状態のとき、胸ポケット等を挟む玉部７０が２個形成されているため、胸ポケット等との接触面積が多くなり、クリップ保持能力が第１例より高くなる。これに加えて、係合部７３がＴ形状となるため、前記後軸３との連結部を２個から１個に減らすことができる。つまり、前記後軸７２の外径が小さく、膨出部７３を形成する面積が狭い場合であっても、本発明を適用させることができると共に、効果も得られる。
【００１８】
次に、第５例について図１７を基に説明する。第１例と同様、１本のボ−ルペンが摺動自在に配置されている回転繰り出し式の出没式筆記具であり、クリップ７５の先端部１０７の玉部７６に設けた係合部７７が後軸７８周面に設けられた係合溝７９を備えた膨出部８０に向かって移動し、係合させる例である。
前記クリップ７５の玉部７６には、正面から見たとき、なだらかな円形状をした係合部７７がペン先１１の突出方向に向かって形成されている。
一方、後軸７８の周面であって、クリップ７５の玉部７６からペン先出方向への進行上には、膨出部８０が形成されている。その膨出部８０は左右対称に２個形成されており、それら２個の膨出部２３から構成される隙間には、クリップ７５の玉部７６に形成された係合部７７と係合できる係合溝７９が形成されている。
その他の構成、動作は第１実施例と同様であり、前記後軸７８と前軸５とを相対的に回転させることで筆記体７を出没させる。前記筆記体７のペン先１１が先金６の先端から突出し、筆記可能な状態のとき、クリップ７５を持ち上げる力がかかってもクリップ７５が持ち上がることはなく、胸ポケットに差すことができず、胸ポケット等をインキで汚す心配がない。
また、筆記体７を先金６内に没入し、胸ポケット等に差すことが可能な状態のとき、係合部７７がなだらかな円形状をしているため、胸ポケット等との接触面積が少なくなり、胸ポケット等へ差すときの挿入抵抗が少なくなると共に、玉部７６が衣類等に引っかかる心配が少なくなる。
【００１９】
次に、第６例について図１８を基に説明する。第１例と同様、１本のボ−ルペンが摺動自在に配置されている回転繰り出し式の出没式筆記具であり、クリップ８１の先端部１０８の玉部８２に設けた係合溝８３が後軸８４周面に設けられた係合部８５を備えた膨出部８６に向かって移動し、係合させる例である。
前記後軸８４の周面であって、クリップ８１の玉部８２からペン先出方向への進行上には、膨出部８６が形成されていると共に、その膨出部８６を正面から見たとき、なだらかな円形状をした係合部８５がペン先１１の突出方向に向かって形成されている。
また、前記クリップ８１には、玉部８２が左右対称に２個形成されており、それら２個の膨出部２３から構成される隙間には、前記膨出部８６の係合部８５と係合できる係合溝８３が形成されている。
その他の構成、動作は第１例と同様であり、前記後軸８４と前軸５とを相対的に回転させることで筆記体７を出没させる。前記筆記体７のペン先１１が先金６の先端から突出し、筆記可能な状態のとき、クリップ８１を持ち上げる力がかかってもクリップ８１が持ち上がることはなく、胸ポケットに差すことができず、胸ポケット等をインキで汚す心配がない。
また、筆記体７を先金６内に没入し、胸ポケット等に差すことが可能な状態のとき、胸ポケット等を挟む玉部８２が２個形成されるため、胸ポケット等との接触面積が多くなり、クリップ保持能力が第１例より高くなる。加えて、後軸８４との連結部を２個から１個に減らすことができるため、後軸８４の外径が小さく、膨出部８６を形成する面積が狭い場合であっても、本発明を適用させることができると共に、効果も得られる。
【００２０】
次に、第７例について図１９を基に説明する。第１例と同様、１本のボ−ルペンが摺動自在に配置されている回転繰り出し式の出没式筆記具であり、クリップ８７先端部１０９の玉部８８に設けた係合部８９が後軸９０周面に設けられた係合溝９１を備えた膨出部９２に向かって移動し、係合させる例である。前記クリップ８７の玉部８８には、正面から見たとき、なだらかな台形状をした係合部８９がペン先１１の突出方向に向かって形成されている。
一方、後軸９０の周面であって、クリップ８７の玉部８８からペン先出方向への進行上には、膨出部９２が形成されている。その膨出部９２は左右対称に２個形成されており、それら２個の膨出部２３から構成される隙間には、クリップ８７の玉部８８に形成された係合部８９が係合する係合溝９１が形成されている。
その他の構成、動作は第１実施例と同様であり、前記後軸９０と前軸５とを相対的に回転させることで筆記体７を出没させる。前記筆記体７のペン先１１が先金６先端から突出し、筆記可能な状態のとき、クリップ８７を持ち上げる力がかかっても、そのクリップ８７が容易に持ち上がることはなく、胸ポケットに差すことができず、胸ポケット等をインキで汚す心配がない。
また、２個ある膨出部９２が左右に開くことで、前記係合溝９１の幅を広げることが可能となる。よって、通常の力では係合は解除されないものの、クリップ８７に大きな持ち上げる力がかかった場合には、係合部８９と係合溝９１の係合が解除され、玉部８８と膨出部９２の破損が回避される。
【００２１】
次に、第８例について図２０を基に説明する。第１例と同様、１本のボ−ルペンが摺動自在に配置されている回転繰り出し式の出没式筆記具であり、クリップ９３の先端部１１０の玉部９４に設けた係合溝９５が後軸９６周面に設けられた係合部９７を備えた膨出部９８に向かって移動し、係合させる例である。
前記後軸９６の周面であって、クリップ９３の玉部９４からペン先１１の突出方向への進行上には、膨出部９８が形成されている。その膨出部９８を正面から見たとき、台形状をした係合部９７がペン先１１の突出方向に向かって形成されている。前記クリップ９３には、玉部９４が左右対称に２個形成されており、それら２個の膨出部２３から構成される隙間には、膨出部９８の係合部９７が係合する係合溝９５が形成されている。
その他の構成、動作は第１例と同様であり、前記後軸９６と前軸５とを相対的に回転させることで筆記体７を出没させる。前記筆記体７のペン先１１が先金６先端から突出し、筆記可能な状態のとき、前記クリップ９３に持ち上げる力がかかっても、クリップ９３が持ち上がることはなく、胸ポケットに差すことができず、胸ポケット等をインキで汚す心配がない。
また、２個ある膨出部９８が左右に開くことで、前記係合溝９５の幅を広げることが可能である。よって、通常の力では係合解除されないものの、クリップ９３に大きな持ち上げる力がかかった場合には、係合部９７と係合溝９５の係合が解除され、玉部９４と膨出部９８の破損が回避される。さらに、筆記体７を先金６内に没入し、胸ポケット等に差すことが可能な状態のとき、胸ポケット等を挟む玉部９４が２個形成されているため、胸ポケット等との接触面積が多くなり、クリップ保持能力が第１例より高くできる。
【符号の説明】
【００２２】
１      軸本体
２      クリップ
３      後軸
４      摺動子
５      前軸
６      先金
７      先端開口部
８      円周リブ
９      弾性部材
１０    カム溝
１１    ペン先
１２    円周リブ
１３    円周リブ
１４    摺動突起
１５    摺動溝
１６    開口部
１７    摺動溝
１８    摺動突起
１９    円周リブ
２０    円周リブ
２１    玉部
２２    係合部
２３    膨出部
２４    係合溝
２５    係止溝
２６    カム溝端部
２７    係合子
２８    係合溝
２９    膨出部
３０    後軸
３１    クリップ部
３２    玉部
３３    係合部
３４    摺動子
３５    円周リブ
３６    開口部
３７    摺動突起
３８    カム溝
３９    係止溝
４０    軸本体
４１    軸部
４２    クリップ
４３    玉部
４４    係合部
４５    係合溝
４６    膨出部
４７    軸本体
４８    ノック
４９    頭冠
５０    後軸
５１    回転子
５２    前軸
５３    グリップ
５４    カム溝
５５    縦リブ
５６    溝部
５７    傾斜面
５８    摺動突起
５９    山形傾斜部
６０    摺動突起
６１    傾斜面
６２    円周リブ
６３    円周リブ
６４    延設部
６５    筒状部
６６    係合突起
６７    係合孔
６８    先端開口部
６９    クリップ
７０    玉部
７１    係合溝
７２    後軸
７３    係合部
７４    膨出部
７５    クリップ
７６    玉部
７７    係合部
７８    後軸
７９    係合溝
８０    膨出部
８１    クリップ
８２    玉部
８３    係合溝
８４    後軸
８５    係合部
８６    膨出部
８７    クリップ
８８    玉部
８９    係合部
９０    後軸
９１    係合溝
９２    膨出部
９３    クリップ
９４    玉部
９５    係合溝
９６    後軸
９７    係合部
９８    膨出部
９９    摺動突起
１００  先端部
１０１  当接面
１０２  テーパ面
１０３  先端部
１０４  テーパ面
１０５  先端部
１０６  先端部
１０７  先端部
１０８  先端部
１０９  先端部
１１０  先端部
【図１】
2013154628.tif 000003
【図２】
2013154628.tif 000004
【図３】
2013154628.tif 000005
【図４】
2013154628.tif 000006
【図５】
2013154628.tif 000007
【図６】
2013154628.tif 000008
【図７】
2013154628.tif 000009
【図８】
2013154628.tif 000010
【図９】
2013154628.tif 000011
【図１０】
2013154628.tif 000012
【図１１】
2013154628.tif 000013
【図１２】
2013154628.tif 000014
【図１３】
2013154628.tif 000015
【図１４】
2013154628.tif 000016
【図１５】
2013154628.tif 000017
【図１６】
2013154628.tif 000018
【図１７】
2013154628.tif 000019
【図１８】
2013154628.tif 000020
【図１９】
2013154628.tif 000021
【図２０】
2013154628.tif 000022